(57)【要約】【課題】本発明は、除菌装置の外形寸法を増大を抑制しつつ、耐圧を維持することが可能な除菌装置を提供する。【解決手段】本発明に係る除菌装置は、除菌ランプと、内部に除菌対象となる流体の流路を有し、内部に除菌ランプを収納し、かつ端部に開口部を有する筒状の本体部と、開口部に配置された蓋部材と、本体部の中心軸線方向から蓋部材と本体部とを挟持する少なくとも１つの固定部材とを備えている。これにより、外形寸法を増大を抑制しつつ、耐圧を維持することが可能となる。【選択図】図１
2017196382.tif 000002
【特許請求の範囲】
【請求項１】
除菌ランプと、
内部に除菌対象となる流体の流路を有し、前記内部に前記除菌ランプを収納し、かつ端部に開口部を有する筒状の本体部と、
前記開口部に配置された蓋部材と、
前記本体部の中心軸線方向から前記蓋部材と前記本体部とを挟持する少なくとも１つの固定部材とを備える、除菌装置。
【請求項２】
前記本体部の前記中心軸線方向からみた断面形状は円形であり、
前記蓋部材の外周面は、前記本体部の前記中心軸線方向からみて、前記断面形状に外接する四角形よりも内側に位置している、請求項１に記載の除菌装置。
【請求項３】
前記固定部材は、前記本体部の前記中心軸線方向に沿って延在している中央部と、前記中央部から折れ曲がっており、かつ前記蓋部材と前記本体部とを前記本体部の前記中心軸線方向から挟み込む一対の固定部とを有しており、
前記蓋部材の外周面には壁部が設けられており、
前記壁部は、前記本体部の前記中心軸線方向に平行な平面部を含んでおり、
前記中央部は、前記平面部に接触して配置される、請求項１に記載の除菌装置。
【請求項４】
前記固定部材は、前記固定部から折れ曲がっている挿入部をさらに有しており、
前記蓋部材は、前記挿入部を挿入する溝部をさらに有している、請求項３に記載の除菌装置。
【請求項５】
前記固定部材は、前記本体部の前記中心軸線方向に沿って延在している中央部と、前記中央部から折れ曲がっており、かつ前記蓋部材と前記本体部とを前記本体部の前記中心軸線方向から挟み込む一対の固定部と、前記固定部から折れ曲がっている係合部とを有しており、
前記蓋部材は、前記本体部とは反対側に位置する面である外側面上において、前記中心軸線方向に沿って延在している起立壁をさらに有しており、
前記中央部及び前記係合部は、前記起立壁を挟み込んでいる、請求項１に記載の除菌装置。
【請求項６】
前記蓋部材は、外周面において凸部を有しており、
前記中央部には、前記凸部が嵌り込む孔部が設けられている、請求項５に記載の除菌装置。
【請求項７】
前記凸部は、前記中心軸線方向に直交する方向における端である第１端及び第２端と、前記固定部に向かう側の面である上面とを有し、
前記上面は、前記第１端及び前記第２端のいずれか一方において前記外周面に連なっている、請求項６に記載の除菌装置。
【請求項８】
前記蓋部材は、前記除菌ランプを前記本体部に挿入するランプ挿入穴を有しており、
前記固定部材は、前記本体部の前記中心軸線方向からみて前記ランプ挿入穴と重ならない位置において、前記蓋部材を挟持している、請求項１〜７のいずれか１項に記載の除菌装置。
【請求項９】
前記固定部材は、前記ランプ挿入穴に対応する位置に切欠きを有している、請求項８に記載の除菌装置。
【請求項１０】
前記固定部材は複数設けられており、
前記複数の前記固定部材の各々は、前記本体部の中心軸に対して対称となる位置に配置されている、請求項１〜９のいずれか１項に記載の除菌装置。
【請求項１１】
循環経路と、
前記循環経路上に配置された請求項１〜１０のいずれか１項に記載の前記除菌装置とを備える、温水装置。
【発明の詳細な説明】
【技術分野】
【０００１】
本発明は、除菌装置及び温水装置に関する。
【背景技術】
【０００２】
従来から、除菌ランプを用いて流体の除菌を行う除菌装置が知られている。このような除菌装置は、内部に除菌対象となる流体の流路が設けられた筒状の本体部を有している。本体部は、端部に開口部を有している。このような除菌装置においては、開口部を閉じるため、本体部の端部に蓋部材を固定する必要がある。
【０００３】
特開２０１４−１００６９０号公報（特許文献１）記載の除菌装置においては、本体部の開口部に蓋部材を嵌め込まれている。本体部の開口部に嵌め込まれた蓋部材は、Ｃリングにより、本体部に固定されている。
【０００４】
特許第４８１４２１９号公報（特許文献２）記載の除菌装置においては、本体部の両端部にフランジ部を設けた一対の蓋部材が設けられている。この蓋部材は、フランジ部が相互に棒及びクランプを用いて連結されている。これにより、蓋部材が本体部の端部に固定されている。
【０００５】
その他の構成として、本体部の端部に、蓋部材を溶接することにより固定する構成も従来から知られている。
【先行技術文献】
【特許文献】
【０００６】
【特許文献１】特開２０１４−１００６９０号公報
【特許文献２】特許第４８１４２１９号公報
【発明の概要】
【発明が解決しようとする課題】
【０００７】
特許文献１記載の除菌装置は、蓋部材がＣリングにより固定されているため、耐圧上の問題がある。特許文献２記載の除菌装置は、本体部の中心軸線から離れた位置で荷重を受けることになる。そのため、特許文献２記載の除菌装置は、耐圧維持のため、フランジ部の寸法を大きくする必要がある。その結果、特許文献２の除菌装置は、外形寸法が大きくなってしまう。本体部に蓋部材を溶接する構成においては、耐圧上の問題はないものの、コスト上の問題がある。
【０００８】
本発明は、このような従来技術の問題点に鑑みてなされたものである。すなわち、本発明は、除菌装置の外形寸法を増大を抑制しつつ、耐圧を維持することが可能な除菌装置及び温水装置を提供するものである。
【課題を解決するための手段】
【０００９】
本発明に係る除菌装置は、除菌ランプと、内部に除菌対象となる流体の流路を有し、内部に除菌ランプを収納し、かつ端部に開口部を有する筒状の本体部と、開口部に配置された蓋部材と、本体部の中心軸線方向から蓋部材と本体部とを挟持する少なくとも１つの固定部材とを備えている。
【００１０】
本発明に係る除菌装置によると、除菌装置の外形寸法の増大を抑制しつつ、耐圧を維持することが可能となる。
【００１１】
上記の除菌装置において、本体部の中心軸線方向からみた断面形状は円形であり、蓋部材の外周面は、本体部の中心軸線方向からみて、本体部の断面形状に外接する四角形よりも内側に位置していてもよい。この場合、除菌装置の外形寸法を増大をさらに抑制することが可能となる。
【００１２】
上記の除菌装置において、固定部材は本体部の中心軸線方向に延在している中央部と、中央部から折れ曲がっておりかつ蓋部材と本体部とを中心軸方向から挟み込む一対の固定部とを有していてもよい。蓋部材は、本体部の中心軸線方向に平行に設けられた壁部を有しており、壁部は、平面部を含んでいてもよい。中央部は、平面部に接触して配置されていてもよい。この場合は、蓋部材の回転及び蓋部材を組み付ける際の位置決めが容易となる。
【００１３】
上記の除菌装置において、固定部材は本体部の中心軸線方向に延在している中央部と、中央部から折れ曲がっており、かつ蓋部材と本体部とを中心軸方向から挟み込む一対の固定部と、固定部から折れ曲がっている係合部とを有していてもよい。上記の除菌装置において、蓋部材は、本体部とは反対側に位置する面である外側面上に、中心軸線方向に延在している起立壁を有していてもよい。起立壁は、中央部及び係合部により挟み込まれていてもよい。この場合、除菌装置の部品点数を削減することができるとともに、組み付けがさらに容易となる。
【００１４】
上記の除菌装置において、蓋部材は外周面において凸部を有していてもよい。上記の除菌装置において、中央部には、凸部に嵌り込む孔部が設けられていてもよい。この場合、蓋部材と固定部材との相対的位置関係が変化することが防止されるため、固定部材による本体部及び蓋部材の挟持をより確実に行うことができる。上記の除菌装置において、凸部は中心軸線方向に直交する方向における端である第１端及び第２端と、中央部に向かう側の面である上面とを有していてもよく、上面は、第１端及び第２端のいずれか一方において外周面と連なっていてもよい。この場合、固定部材の組み付けがより容易となる。
【００１５】
上記の除菌装置において、固定部材は固定部から折れ曲がっている挿入部を有していてもよく、蓋部材は挿入部を挿入する溝部を有していてもよい。この場合、除菌装置の部品点数を削減することができるとともに、組み付けがさらに容易となる。
【００１６】
上記の除菌装置において、蓋部材は、除菌ランプを本体部に挿入するランプ挿入穴を有していてもよい。固定部材は、ランプ挿入穴と、本体部の中心軸線方向からみて重ならない位置において、蓋部材を挟持していてもよい。この場合、除菌ランプの交換が容易となる。
【００１７】
上記の除菌装置において、固定部材は、ランプ挿入穴に対応する位置に切欠きを有していてもよい。この場合、除菌ランプの交換が容易となる。
【００１８】
上記の除菌装置において、固定部材は複数設けられていてもよい。複数の固定部材の各々は、本体部の中心軸に対して対称となる位置に配置されていてもよい。この場合、より耐圧を向上させることが可能になる。
【００１９】
本発明に係る温水装置は、循環水路と、循環水路上に配置された上記の除菌装置のいずれかを備えている。本発明に係る温水装置によると、除菌装置の外形寸法を増大を抑制しつつ、耐圧を維持することが可能となる。
【発明の効果】
【００２０】
本発明によると、除菌装置の外形寸法の増大を抑制しつつ、耐圧を維持することが可能となる。
【図面の簡単な説明】
【００２１】
【図１】実施形態１に係る除菌装置の斜視図である。
【図２】実施形態１に係る除菌装置の図１のＩＩ−ＩＩにおける断面図である。
【図３】実施形態１に係る除菌装置の第１の蓋部材の上面図である。
【図４】実施形態１に係る除菌装置の第１の蓋部材の斜視図である。
【図５】実施形態１に係る除菌装置の本体部の中心軸線方向からみた上面図である。
【図６】実施形態１の変形例に係る除菌装置の本体部の中心軸線方向からみた上面図である。
【図７】実施形態１に係る温水装置の模式図である。
【図８】実施形態２に係る除菌装置の斜視図である。
【図９】実施形態２に係る除菌装置の固定部材の斜視図である。
【図１０】実施形態２に係る除菌装置の第１の蓋部材の上面図である。
【図１１】実施形態２に係る除菌装置の本体部の中心軸方向からみた上面図である。
【図１２】実施形態３に係る除菌装置の斜視図である。
【図１３】実施形態３に係る除菌装置の第１の蓋部材の斜視図である。
【図１４】実施形態３に係る除菌装置の第１の蓋部材の上面図である。
【図１５】実施形態３に係る除菌装置の固定部材の斜視図である。
【発明を実施するための形態】
【００２２】
（実施形態１）
以下に、実施形態１に係る除菌装置の構成について、図１〜図６を参照して説明する。なお、各図中同一または相当部分には同一符号を付している。また、以下に記載する実施形態１の少なくとも一部を任意に組み合わせてもよい。さらに、長さ、幅、厚さ、深さなどの寸法関係は、図面の明瞭化のために適宜変更されており、実際の寸法関係を表すものではない。
【００２３】
図１に示すように、実施形態１に係る除菌装置は、本体部１と、除菌ランプ２と、蓋部材３と、固定部材４とを有している。蓋部材３は、一対となる第１の蓋部材３ａと第２の蓋部材３ｂとから構成されている。
【００２４】
本体部１は、筒状の形状を有している。好ましくは、本体部１は、円筒状の形状を有している。すなわち、本体部１の中心軸線に垂直な方向における断面は、円形形状であることが好ましい。本体部１には、例えばステンレス鋼等が用いられる。
【００２５】
図２に示すように、本体部１の内部には、除菌ランプ保護管１１が設けられている。除菌ランプ保護管１１は、本体部１の内部を流れる流体から除菌ランプ２を保護するための部材である。除菌ランプ保護管１１は、本体部１の内部に配置されている。除菌ランプ保護管１１は、好ましくは円筒形状を有している。除菌ランプ保護管１１は、本体部１より長さが長い。除菌ランプ保護管１１は、除菌ランプ２から照射される光に対して透明である。除菌ランプ保護管１１には、例えば石英ガラスが用いられる。
【００２６】
本体部１は、流路１２を有している。流路１２は、本体部１の内部に設けられている。より具体的には、流路１２は、除菌ランプ保護管１１の外周面と本体部１の内壁面とにより画される空間である。流路１２には、除菌対象となる流体（例えば、湯水）が流れることになる。
【００２７】
本体部１は、端部１３を有している。端部１３は、本体部１の中心軸線方向の端に位置する部分である。端部１３において、本体部１は開口部１４を有している。本体部１は、両方の端部１３において開口部１４を有していることが好ましい。好ましくは、端部１３は、中心軸線方向からみて、外周方向に広がっている形状を有している。これにより、蓋部材３を本体部１に挿入することが容易となる。
【００２８】
除菌ランプ２は、流体を除菌する光を放出するランプである。好ましくは、除菌ランプ２は、紫外線を放出する蛍光灯である。除菌ランプ２は、紫外線を放出するＬＥＤ（Light  Emitting  Diode）であってもよい。すなわち、除菌ランプ２は、流体を除菌するランプであれば特に限定されない。除菌ランプ２は、本体部１の内部に配置されている。より具体的には、除菌ランプ２は、除菌ランプ保護管１１の内部に挿入されている。除菌ランプ２は、本体部１の中心軸線方向に延伸している形状を有している。除菌ランプ２の端部は、ソケット、電装部品が取り付けられた電装部２１となっている。
【００２９】
第１の蓋部材３ａは、内側面３１と、外側面３２と、外周面３３とを有している。内側面３１は、本体部１に挿入される側の面である。外側面３２は、内側面３１の反対側の面である。外周面３３に、入水部３３ａが設けられている。入水部３３ａは、筒状の形状を有している。より具体的には、入水部３３ａには、入水口３３ｂが設けられている。
【００３０】
第１の蓋部材３ａの内側面３１側は、先端部３４となっている。先端部３４は、本体部１の内径に略等しい外径を有している。第１の蓋部材３ａは、先端部３４が本体部１の開口部１４に挿入されることにより、開口部１４に配置されている。先端部３４と本体部１の端部１３との間には、シール部材３５が配置されている。シール部材３５は、例えば、Оリングである。これにより、開口部１４が閉じられ、除菌対象となる流体が本体部１から流出することが防止されている。
【００３１】
第１の蓋部材３ａの内部には、キャビティ３６が設けられている。キャビティ３６は、第１の蓋部材３ａの内側面３１側に開口している。キャビティ３６の内径は、除菌ランプ保護管１１の外径よりも大きい。そのため、キャビティ３６の内壁と除菌ランプ保護管１１の外周面との間には、空間が形成されている。キャビティ３６は、入水口３３ｂと連通している。そのため、入水口３３ｂに注水された除菌対象となる流体は、キャビティ３６を介して本体部１の内部に設けられた流路１２に流れる。
【００３２】
第１の蓋部材３ａの外側面３２側には、ランプ挿入穴３７が設けられている。ランプ挿入穴３７は、キャビティ３６と連通している。ランプ挿入穴３７の内径は、除菌ランプ保護管１１の外径と略等しい。ランプ挿入穴３７には、除菌ランプ保護管１１の端部が挿入されている。ランプ挿入穴３７と除菌ランプ保護管１１の外周面の間には、シール部材３８が設けられている。シール部材３８は、例えば、Ｏリングである。これにより、第１の蓋部材３ａから除菌対象となる流体が流出することが防止されている。
【００３３】
図３に示すように、第１の蓋部材３ａは、例えば、平面視において（すなわち、本体部１の中心軸線方向からみて）、略正方形形状を有している。また、本体部１は、平面視において円形形状（図３中において一点鎖線で示されている）を有している。第１の蓋部材３ａの外周面３３は、平面視において、本体部１に外接する四角形（図３中において点線により示されている）の内側に位置している。これにより、除菌装置の外形寸法を小さくすることが可能となる。
【００３４】
第１の蓋部材３ａの外側面３２には、穴３２ａ、穴３２ｂが設けられている。穴３２ａ及び穴３２ｂは、例えばビス穴等のねじ穴である。穴３２ａ及び穴３２ｂと他の部材との関係については、後述する。
【００３５】
図４に示すように、第１の蓋部材３ａの外周面３３には、壁部３３ｃが設けられていてもよい。壁部３３ｃは、平面形状を含んでいる。この平面は、本体部１の中心軸線方向に平行な平面である。壁部３３ｃは、好ましくは、外周面３３上の複数箇所に設けられている。壁部３３ｃは、好ましくは、本体部１の中心軸方向に対して、対称な位置に設けられている。壁部３３ｃと他の部材の関係については、後述する。
【００３６】
第２の蓋部材３ｂは、入水部３３ａ及び入水口３３ｂに代えて出水部３３ｄ及び出水口３３ｅを有している点を除き、第１の第１の蓋部材３ａと同様の形状を有している。
【００３７】
第１の第１の蓋部材３ａ及び第２の蓋部材３ｂには、例えば、樹脂材料が用いられている。この樹脂材料は、例えばＳＰＳ（シンジオタクチックポリスチレン）である。
【００３８】
図１に示すように、固定部材４は、本体部１の中心軸線方向から、第１の蓋部材３ａ及び第２の蓋部材３ｂと本体部１とを挟持するように配置されている。これにより、第１の蓋部材３ａ及び第２の蓋部材３ｂは、本体部１に固定されている。固定部材４は、好ましくは、中央部４１と、固定部４２とを有している。中央部４１は、好ましくは、固定部材４の中央に位置し、本体部１の中心軸線方向に沿って延在している。中央部４１は、好ましくは、平面形状を有している。
【００３９】
固定部材４は、好ましくは複数設けられている。但し、固定部材の数は１であってもよい。固定部材４が複数設けられる場合、各々の固定部材４は、本体部１の中心軸線方向に対して、対称となる位置に配置されることが好ましい。これにより、より安定して第１の蓋部材３ａ及び第２の蓋部材３ｂと本体部１とを挟持することが可能となる。
【００４０】
固定部４２は、中央部４１から折れ曲がっている部分である。好ましくは、固定部４２は、中央部４１から垂直に折れ曲がっている。固定部４２は、一対となっている。固定部４２は、第１の蓋部材３ａ及び第２の蓋部材３ｂと本体部１とを挟み込むための部分である。固定部４２は、第１の蓋部材３ａ及び第２の蓋部材３ｂの外側面３２上に配置される。これにより、固定部材４により、蓋部材３が本体部１の中心軸線方向から挟持されることになる。固定部４２は、好ましくは、平面形状を有している。
【００４１】
好ましくは、固定部４２は、その基部（固定部４２の中央部４１側の端の部分）が、第１の蓋部材３ａ及び第２の蓋部材３ｂの外側面３２と外周面３３とが合わさる部分の稜線付近と接触するように配置される。この場合、固定部４２が本体部１の中心軸線方向に変形しにくい。そのため、除菌装置の耐圧をより向上させることが可能となる。
【００４２】
中央部４１は、第１の蓋部材３ａ及び第２の蓋部材３ｂの外周面３３に設けられた壁部３３ｃに接触するように配置される。これにより、第１の蓋部材３ａ及び第２の蓋部材３ｂが、本体部１に対して回転することを抑制することが可能となる。また、これにより、固定部材４を組み付ける際の位置決めが容易となる。さらに、これにより、固定部材４の中央部４１の変形を抑制することが可能となる。
【００４３】
固定部４２は、第１の蓋部材３ａ及び第２の蓋部材３ｂに固定されている。例えば、図５に示すように、固定部４２は、穴４２ａを有している。固定部４２は、穴４２ａにビス等を通すとともに、そのビスを第１の蓋部材３ａ及び第２の蓋部材３ｂの外側面３２に設けられた穴３２ａと締結することにより、第１の蓋部材３ａ及び第２の蓋部材３ｂに固定されている。固定部４２を第１の蓋部材３ａ及び第２の蓋部材３ｂに固定する方法は、これに限られるものではない。
【００４４】
第１の蓋部材３ａの外側面３２上には、ランプ固定部材２２が設けられている。ランプ固定部材２２は、第１の蓋部材３ａのランプ挿入穴３７を通して除菌ランプ保護管１１の内部に設置された除菌ランプ２を固定するための部材である。ランプ固定部材２２には、例えばＳＰＳ等が用いられる。
【００４５】
ランプ固定部材２２は、第１の蓋部材３ａに固定されている。ランプ固定部材２２は、穴２２ａを有していてもよい。ランプ固定部材２２は、穴２２ａにビス等を通し、そのビス等を第１の蓋部材３ａの外側面３２に設けられた穴３２ｂと締結することにより、第１の蓋部材３ａに固定される。
【００４６】
固定部４２は、切欠き４２ｂを有していてもよい。切欠き４２ｂを有することで、固定部４２が第１の蓋部材３ａ及び第２の蓋部材３ｂを挟持している状態で、ランプ挿入穴３７と固定部４２とが重ならないようになっている。切欠き４２ｂの形状は、例えば、半円形状等の部分円形状である。
【００４７】
但し、切欠き４２ｂの形状はこれに限られない。すなわち、切欠き４２ｂの形状は、固定部４２が第１の蓋部材３ａ及び第２の蓋部材３ｂを挟持している状態で、ランプ挿入穴３７と固定部４２とが重ならないようにすることができる形状であれば足りる。これにより、固定部材４により第１の蓋部材３ａ及び第２の蓋部材３ｂを挟持した状態で、除菌ランプ２を容易に交換することが可能となる。
【００４８】
ランプ挿入穴３７と固定部４２とが重ならないようにするため、図６に示すように、固定部４２の幅を狭くしてもよい。これによっても、固定部４２が第１の蓋部材３ａ及び第２の蓋部材３ｂを挟持している状態で、ランプ挿入穴３７と固定部４２とが重ならないようにすることができる。この場合も、固定部材４により第１の蓋部材３ａ及び第２の蓋部材３ｂを挟持した状態で、除菌ランプ２を容易に交換することが可能となる。
【００４９】
なお、固定部４２の基部が第１の蓋部材３ａ及び第２の蓋部材３ｂの外側面３２と外周面３３とが合わさる部分の稜線付近と接触するように配置される場合、固定部４２に切欠き４２ｂが設けられ又は固定部４２の幅が狭くなったとしても、除菌装置の耐圧に対する影響は小さい。そのため、この場合には、除菌装置の耐圧を維持しつつ、除菌ランプ２を容易に交換することが可能となる。
【００５０】
固定部材４は、例えば、一枚の板状の部材に対して、プレス金型を用いた曲げ加工を行うことにより形成される。固定部材４には、例えばＳＧＣＣ（溶融亜鉛めっき鋼板）が用いられる。なお、固定部材４に用いられる材料、板厚、板幅は、要求される耐圧に応じて適宜選択することが可能である。
【００５１】
以下に、実施形態１に係る除菌装置の動作について説明する。
実施形態１に係る除菌装置の入水口３３ｂには、除菌対象となる流体が供給される。この供給された除菌対象となる流体は、本体部１の内部に設けられた流路１２を流れる。除菌対象となる流体が流路１２を流れている間、除菌対象となる流体には、除菌ランプ２から紫外線が照射される。これにより、除菌対象となる流体中に含まれる雑菌が除菌される。その後、流路１２内で除菌された流体は、出水口３３ｅから流れ出る。以上により、除菌対象となる流体が実施形態１に係る除菌装置を通過することにより、除菌処理が行われる。
【００５２】
以下に、実施形態１に係る温水装置の一例としての給湯装置の構成について、図７を参照して説明する。
【００５３】
実施形態１に係る温水装置は、給湯経路５１と、風呂循環経路５２と、注湯経路５３とを有している。
【００５４】
給湯経路５１は、上水を加熱する経路である。給湯経路５１は、配管５１ａと、配管５１ｂと、熱交換器５１ｃとを有している。配管５１ａの一方端は、上水道に接続されている。配管５１ａの他方端は、熱交換器５１ｃの一方端に接続されている。熱交換器５１ｃの他方端は、配管５１ｂの一方端に接続されている。配管５１ｂの他方端は、カラン等に接続されている。熱交換器５１ｃの近傍には、バーナ５１ｄが配置されている。
【００５５】
風呂循環経路５２は、浴槽６中の湯水を加熱する経路である。風呂循環経路５２は、配管５２ａと、配管５２ｂと、配管５２ｃと、除菌装置５２ｄと、熱交換器５２ｅとを有している。除菌装置５２ｄは、上記の実施形態１に係る除菌装置である。
【００５６】
配管５２ａの一方端は、除菌装置５２ｄの入水口３３ｂに接続されている。配管５２ａの他方端は、循環アダプタ６１に接続されている。除菌装置５２ｄの出水口３３ｅは、配管５２ｂの一方端に接続されている。配管５２ｂの他方端は、熱交換器５２ｅの一方端に接続されている。熱交換器５２ｅの他方端は、配管５２ｃの一方端に接続されている。配管５２ｃの他方端は、循環アダプタ６１に接続されている。熱交換器５２ｅの近傍には、バーナ５２ｆが配置されている。なお、配管５２ａ上には、循環ポンプ５２ｇが設けられている。なお、除菌装置５２ｄを給湯装置の筐体に取り付ける際には、固定部材４の中央部４１が取り付けのためのガイドとなる。
【００５７】
注湯経路５３は、給湯経路５１から風呂循環経路５２に湯水を流入させる経路である。注湯経路５３の一方端は、給湯経路５１に接続されている。より具体的には、注湯経路５３の一方端は、配管５１ｂに接続されている。注湯経路５３の他方端は、風呂循環経路５２に接続されている。より具体的には、注湯経路５３の他方端は、配管５２ｂに接続されている。注湯経路５３上には、注湯弁５３ａが設けられている。
【００５８】
循環アダプタ６１は、浴槽６内に設けられている。循環アダプタ６１は、吐出口と吸込口とを有している。
【００５９】
以下に、実施形態１に係る温水装置の一例としての給湯装置の動作について説明する。
まず、給湯動作について説明する。供給された上水は、配管５１ａを介して熱交換器５１ｃに供給される。熱交換器５１ｃに供給された上水は、熱交換器５１ｃにおいて加熱されて湯となる。この湯は、配管５１ｂを介してカラン等へ供給される。
【００６０】
次に、湯張り動作について説明する。供給された上水は、配管５１ａを介して熱交換器５１ｃに供給される。熱交換器５１ｃに供給された上水は、熱交換器５１ｃにおいて加熱されて湯となる。湯張り動作を行っている際には、注湯弁５３ａは開状態となっている。そのため、この湯は、注湯経路５３、配管５２ｃおよび循環アダプタ６１の吐出口を介して浴槽６に供給される。
【００６１】
さらに、除菌動作について説明する。循環ポンプ５２ｇにより、循環アダプタ６１の吸込口から、浴槽６の湯が図中の矢印の方向に吸い上げられる。この吸い上げられた湯は、配管５２ａを介し、除菌装置５２ｄに供給される。除菌装置５２ｄに供給された湯は、除菌装置５２ｄにおいて除菌される。この除菌された湯は、配管５２ｂ、熱交換器５２ｅ、配管５２ｃ、及び循環アダプタ６１の吐出口を介して、浴槽６に戻される。これにより、浴槽６内の湯の除菌が行われる。なお、除菌装置５２ｄにおいて除菌された湯は、熱交換器５２ｅにおいて昇温されてもよい。すなわち、除菌動作は、追い焚き動作中に行われてもよい。
【００６２】
以下に、実施形態１に係る除菌装置及び温水装置の効果について説明する。
実施形態１に係る除菌装置においては、第１の蓋部材３ａ及び第２の蓋部材３ｂを、固定部材４により、本体部１の中心軸線方向から挟持することにより、第１の蓋部材３ａ及び第２の蓋部材３ｂを本体部１の開口部１４に固定している。そのため、固定部材４は、本体部１の中心軸線に近い位置で第１の蓋部材３ａ及び第２の蓋部材３ｂを固定することになる。したがって、実施形態１に係る除菌装置によると、除菌装置の外形寸法を大きくすることなく、除菌装置の耐圧を確保することが可能となる。
【００６３】
実施形態１に係る温水装置は、除菌装置５２ｄとして、実施形態１に係る除菌装置を有している。そのため、実施形態１に係る温水装置によると、温水装置の小型化を図ることが可能となる。
【００６４】
（実施形態２）
以下に、実施形態２に係る除菌装置の構成について、図８〜１１を参照して説明する。なお、ここでは実施形態１と異なる点について主として説明する。
【００６５】
図８に示すように、実施形態２に係る除菌装置は、本体部１と、除菌ランプ２と、蓋部材３と、固定部材４とを有している。蓋部材３は、第１の蓋部材３ａと第２の蓋部材３ｂとから構成されている。
【００６６】
実施形態２に係る除菌装置の固定部材４は、図９に示すように、中央部４１と、固定部４２と、挿入部４３とを有している。挿入部４３は、固定部４２から折れ曲がっている部分である。挿入部４３は、第１の蓋部材３ａ及び第２の蓋部材３ｂの外側面３２に向かう方向に折れ曲がっている。好ましくは、挿入部４３は、本体部１の中心軸線方向に折れ曲がっている。なお、挿入部４３の中央には、切欠きが設けられていてもよい。
【００６７】
実施形態２に係る除菌装置の第１の蓋部材３ａは、図１０に示すように、溝部３２ｃを有している。溝部３２ｃは、外側面３２に設けられている。溝部３２ｃは、好ましくは外周面３３に達している。また、第１の蓋部材３ａは、穴３２ａを有していない。図示していないが、第２の蓋部材３ｂも同様の構造を有している。
【００６８】
図１１に示すように、溝部３２ｃには、挿入部４３が挿入される。挿入部４３の溝部３２ｃへの挿入は、挿入部４３を外周面３３側から溝部３２ｃの延在方向に沿ってスライドさせることにより行うことが可能である。これにより、固定部材４は、本体部１の中心軸線方向から、第１の蓋部材３ａ及び第２の蓋部材３ｂと本体部１とを挟持することになる。なお、挿入部４３は固定部４２から折れ曲がっているため、固定部４２はランプ挿入穴３７と平面視において重なることはない。
【００６９】
以下に、実施形態２に係る除菌装置の効果について説明する。
実施形態２に係る除菌装置においては、固定部材４は、挿入部４３を溝部３２ｃに挿入することにより、第１の蓋部材３ａ及び第２の蓋部材３ｂと本体部１とを挟持する。そのため、実施形態２に係る除菌装置においては、ビス等により固定部材４を第１の蓋部材３ａ及び第２の蓋部材３ｂに固定する必要がない。そのため、実施形態２に係る除菌装置によると、部品点数を削減することができるとともに、組み付けがさらに容易となる。
【００７０】
（実施形態３）
以下に、実施形態３に係る除菌装置の構成を図１２〜１５を参照して説明する。なお、ここでは、実施形態１及び実施形態２と異なる点について主に説明する。
【００７１】
図１２に示すように、実施形態３に係る除菌装置は、本体部１と、除菌ランプ２と、蓋部材３と、固定部材４とを有している。蓋部材３は、第１の蓋部材３ａと第２の蓋部材３ｂとから構成されている。固定部材４は、好ましくは、互いに対向するように配置されている。
【００７２】
図１３に示すように、実施形態３に係る除菌装置において、第１の蓋部材３ａは、起立壁３２ｄを有している。起立壁３２ｄは、外側面３２上に配置されている。起立壁３２ｄは、外側面３２から、中心軸線方向に沿って延在している。起立壁３２ｄは、外側面３２上において、入水口３３ｂの延在方向に沿って延在している。起立壁３２ｄは、外側面３２上において、入水口３３ｂの延在方向に直交する方向における両端に配置されている。好ましくは、起立壁３２ｄの外周面３３側の面は、壁部３３ｃと面一となっている。別の観点からいえば、起立壁３２ｄの外周面３３側の面は、壁部３３ｃから中心軸線方向に沿って延在している。なお、図示していないが、第２の蓋部材３ｂも、同様に起立壁３２ｄを有している。
【００７３】
実施形態３に係る除菌装置において、第１の蓋部材３ａは、凸部３３ｆを有していてもよい。凸部３３ｆは、外周面３３上に設けられている。より具体的には、凸部３３ｆは、壁部３３ｃ上に設けられている。凸部３３ｆは、後述する孔部４５と対向する位置に配置されている。凸部３３ｆは、壁部３３ｃから突出している。凸部３３ｆは、第１端３３ｆａと、第２端３３ｆｂとを有している。第１端３３ｆａ及び第２端３３ｆｂは、本体部１の中心軸線に直交する方向における凸部３３ｆの端である。凸部３３ｆは、上面３３ｆｃを有している。上面３３ｆｃは、中央部４１に向いている側の面である。第１端３３ｆａ及び第２端３３ｆｂのいずれか一方において、上面３３ｆｃは外周面３３（壁部３３ｃ）と連なっている。別の観点からいえば、第１端３３ｆａ及び第２端３３ｆｂのいずれか一方においては、上面３３ｆｃと外周面３３（壁部３３ｃ）との間に段差がない。凸部３３ｆがこのような構成を有することにより、固定部材４を容易に取り付けることができる。なお、図示していないが、第２の蓋部材３ｂも、同様に凸部３３ｆを有している。
【００７４】
図１４に示すように、凸部３３ｆは、平面視において本体部１（図中において一点鎖線で示されている）に外接する四角形（図中において点線で示されている）から突出しない高さを有していることが好ましい。
【００７５】
図１５に示すように、実施形態３に係る除菌装置においては、固定部材４は、中央部４１と、固定部４２と、係合部４４とを有している。係合部４４は、固定部４２から折れ曲がっている部分である。係合部４４は、第１の蓋部材３ａ及び第２の蓋部材３ｂの外側面３２に向かう方向に折れ曲がっている。
【００７６】
図１２に示すように、実施形態３に係る除菌装置においては、起立壁３２ｄは、中央部４１、固定部４２及び係合部４４により構成されるコの字型の部分により挟み込まれている。固定部材４は、起立壁３２ｄを中央部４１、固定部４２及び係合部４４により構成されるコの字型の部分で挟み込んだ状態で、起立壁３２ｄの延在方向に沿ってスライドされる。なお、第１端３３ｆａにおいて上面３３ｆｃが外周面３３（壁部３３ｃ）と連なっている場合、固定部材４は第１端３３ｆａ側からスライドされ、第２端３３ｆｂにおいて上面３３ｆｃが外周面３３（壁部３３ｃ）と連なっている場合、固定部材４は第２端３３ｆｂ側からスライドされる。これにより、固定部材４は、本体部１の中心軸線方向から、第１の蓋部材３ａ及び第２の蓋部材３ｂと本体部１とを挟持することになる。
【００７７】
固定部材４は、孔部４５を有していてもよい。孔部４５は、中央部４１に設けられている。上記のとおり、孔部４５は、凸部３３ｆと対向する位置に設けられている。凸部３３ｆが孔部４５に嵌り込むことにより、固定部材４と外周面３３とが係合されている。これにより、第１の蓋部材３ａ及び第２の蓋部材３ｂと固定部材４との相対的な位置関係が固定される。凸部３３ｆの孔部４５への挿入は、係合部４４を起立壁３２ｄの延在方向に沿ってスライドさせる際に行われる。
【００７８】
以下に、実施形態３に係る除菌装置の効果について説明する。
実施形態３に係る除菌装置においては、起立壁３２ｄを中央部４１、固定部４２及び係合部４４により構成されるコの字型の部分で挟み込んだ状態で、固定部材４を起立壁３２ｄの延在方向に沿ってスライドさせることにより、第１の蓋部材３ａ及び第２の蓋部材３ｂと本体部１とを挟持する。そのため、実施形態３に係る除菌装置においては、ビス等により固定部材４を第１の蓋部材３ａ及び第２の蓋部材３ｂに固定する必要がない。そのため、実施形態２に係る除菌装置によると、部品点数を削減することができるとともに、組み付けがさらに容易となる。
【００７９】
今回開示された実施形態はすべての点で例示であって、制限的なものではないと考えられるべきである。本発明の範囲は上記した実施の形態ではなく特許請求の範囲によって示され、特許請求の範囲と均等の意味、および範囲内でのすべての変更が含まれることが意図される。
【符号の説明】
【００８０】
１  本体部、１１  除菌ランプ保護管、１２  流路、１３  端部、１４  開口部、２  除菌ランプ、２１  電装部、２２  ランプ固定部材、２２ａ  穴、３  蓋部材、３ａ  第１の蓋部材、３ｂ  第２の蓋部材、３１  内側面、３２  外側面、３２ａ，３２ｂ  穴、３２ｃ  溝部、３２ｄ  起立壁、３３  外周面、３３ａ  入水部、３３ｂ  入水口、３３ｃ  壁部、３３ｄ  出水部、３３ｅ  出水口、３３ｆ  凸部、３３ｆａ  第１端、３３ｆｂ  第２端、３３ｆｃ  上面、３４  先端部、３５  シール部材、３６  キャビティ、３７  ランプ挿入穴、３８  シール部材、４  固定部材、４１  中央部、４２  固定部、４３  挿入部、４４  係合部、４５  孔部、４２ａ  穴、５１  給湯経路、５１ａ，５１ｂ  配管、５１ｃ  熱交換器、５１ｄ  バーナ、５２  風呂循環経路、５２ａ，５２ｂ，５２ｃ  配管、５２ｄ  除菌装置、５２ｅ  熱交換器、５２ｆ  バーナ、５２ｇ  循環ポンプ、５３  注湯経路、５３ａ  注湯弁、６  浴槽、６１  循環アダプタ。
【図１】
2017196382.tif 000003
【図２】
2017196382.tif 000004
【図３】
2017196382.tif 000005
【図４】
2017196382.tif 000006
【図５】
2017196382.tif 000007
【図６】
2017196382.tif 000008
【図７】
2017196382.tif 000009
【図８】
2017196382.tif 000010
【図９】
2017196382.tif 000011
【図１０】
2017196382.tif 000012
【図１１】
2017196382.tif 000013
【図１２】
2017196382.tif 000014
【図１３】
2017196382.tif 000015
【図１４】
2017196382.tif 000016
【図１５】
2017196382.tif 000017